(57)【特許請求の範囲】
【請求項１】
所定の光回線と装置との間に接続され、前記光回線から入力された光信号を電気信号に変換して前記装置へ出力し、前記装置から入力された電気信号を光信号に変換して前記光回線へ出力する光インタフェース終端モジュールであって、
光信号から電気信号への光電変換及び電気信号から光信号への光電変換を行う光モジュールと、
前記光モジュールによって光電変換された電気信号からなるフレーム・データを前記光回線のインタフェース規格に沿って終端し、前記装置から入力された電気信号を前記光回線のインタフェース規格に沿ったデータ形式に変換する第１の終端手段と、
前記第１の終端手段によって終端されたフレーム・データを前記装置が受信可能なデータ形式に変換し、前記装置から入力された電気信号からなるフレーム・データを前記光回線のインタフェース規格に沿ったデータ形式に変換する第２の終端手段とを有し、
前記第２の終端手段は、前記第１の終端手段からフレーム・データを入力された際に、データ信号とともにフレーム識別信号を生成し、該フレーム識別信号を前記装置へ送信することを特徴とする光インタフェース終端モジュール。
【請求項２】
前記装置内に収容可能に構成されたことを特徴とする請求項１記載の光インタフェース終端モジュール。
【請求項３】
前記装置との間は短距離伝送であり、前記装置との間の電気信号は、勧告で規定されているインタフェースにとらわれることがないことを特徴とする請求項１または２記載の光インタフェース終端モジュール。
【請求項４】
所定の光回線から入力された光信号によるフレーム・データを電気信号へ光電変換して、該光回線のインタフェース規格に沿って終端した後に装置が受信可能なデータ形式に変換して前記装置へ出力する工程と、
前記装置から入力された電気信号によるフレーム・データを前記光回線のインタフェース規格に沿ったデータ形式に変換し、光信号に電光変換した後に前記光回線へ出力する工程とを有する光インタフェース終端接続方法であって、
前記光回線からの光信号を電気信号に光電変換する際に、データ信号とともにフレーム識別信号を生成し、該フレーム識別信号を前記装置へ送信することを特徴とする光インタフェース終端接続方法。
【請求項５】
前記各工程を前記装置内にて処理することを特徴とする請求項４記載の光インタフェース終端接続方法。
【請求項６】
前記光インタフェース終端モジュールと前記装置との間のインタフェースは短距離伝送であり、光インタフェース終端モジュールと装置間の伝達手順を、勧告で規定されている手順にとらわれることなく構成可能としたことを特徴とする請求項４または５記載の光インタフェース終端接続方法。
【発明の詳細な説明】
【０００１】
【発明の属する技術分野】
本発明は、光インタフェース終端モジュールおよび光インタフェース終端接続方法に関し、特に、装置組み込み型の光インタフェース終端モジュールおよび光インタフェース終端接続方法に関する。
【０００２】
【従来の技術】
従来、光インタフェース終端モジュールおよび光インタフェース終端接続方法は、例えば、装置組み込み型の光インタフェース終端モジュールおよび光インタフェース終端接続方法として構成される。このような従来の光インタフェース終端は、別装置であるディジタル回線接続装置（ＤＳＵ／ｄｉｇｉｔａｌ  ｓｅｒｖｉｃｅ  ｕｎｉｔ）で行い、装置の光インタフェース終端モジュールとディジタル回線接続装置との間が短距離である場合でも、装置とディジタル回線接続装置との間は、勧告で規定されたインタフェースを用いている。
【０００３】
ＤＳＵは、第一種通信事業者がユーザの宅内に設置する装置であり、ユーザの端末機からの信号を回線網側の伝送に適した信号に変換する機能をもつものである。
【０００４】
図５は従来のＤＳＵの構成例を示すブロック図であり、図６はこれに対応するデータフォーマットの構成例を示す図である。図５に示す従来のＤＳＵ１００は、光モジュール１０、加入者側終端部１５、端末側終端部１８、ドライバ／レシーバ１９、トランス２０の各部を有している。本構成のＤＳＵ１００は、光モジュール１０が伝送路側インタフェース（加入者線）を採り、ＤＳＵが接続される装置側とはトランス２０を介して端末側インタフェースを採る。端末側とは、例えばフォーマット規格のＪＴ−Ｉ４３１、ＪＴ−Ｇ７０３−ａに基づくフォーマットデータにてインタフェースを採る。
【０００５】
図６に示す従来のデータフォーマット規格／ＪＴ−Ｉ４３１の構成例において、本ＪＴ−Ｉ４３１規格は、２１）ＪＴ−Ｉ４３１フォーマットのデータ、２２）ＤＡＴＡビット、２３）Ｂ８ＺＳ／ＡＭＩ符号を有して構成される。なお、２３）Ｂ８ＺＳ／ＡＭＩ符号は、端末側のインタフェースを示す。
【０００６】
本発明と技術分野の類似する先願発明例１として、特開平６−３１１２０６号公報の「ＤＳＵ局給電終端回路およびＤＳＵモジュール」がある。本先願発明例１では、局給電電源はＤＳＵで終端し、端末へ供給する電源は装置側の電源からとるように構成している。これにより、ＤＳＵの中の大きなスペースを占めるＤＣ／ＤＣコンバータ、シリーズレギュレータを削除することができ、ＤＳＵを小型、薄型でかつ経済的に構成することが可能となる、としている。
【０００７】
また、従来例２の特開平８−１９１２７３号公報の「光加入者線終端装置およびその給電方法」は、待機状態での消費電力を削減化する技術を開示している。さらに、従来例３の特開平１０−７０５１３号公報の「光網終端装置」は、装置の回路構成を挿抜可能なカード型としている。
【０００８】
【発明が解決しようとする課題】
しかしながら、上記従来技術では、装置の光インタフェース終端モジュール（ＤＳＵモジュール）とディジタル回線接続装置との間が短距離である場合でも、装置とディジタル回線接続装置との間は、勧告で規定されたインタフェースを用いている。このため、ディジタル回線接続装置の構成は複雑で大規模となり、装置の大型化・高価格化を招く問題を伴う。
【０００９】
本発明は、装置間とのインタフェースを簡素化した装置組み込み型の光インタフェース終端モジュールおよび光インタフェース終端接続方法を提供することを目的とする。
【００１０】
【課題を解決するための手段】
かかる目的を達成するため、請求項１記載の発明の光インタフェース終端モジュールは、光回線と装置との間に接続され、光回線から入力された光信号を電気信号に変換して装置へ出力し、装置から入力された電気信号を光信号に変換して光回線へ出力する光インタフェース終端モジュールであって、光信号から電気信号への光電変換及び電気信号から光信号への光電変換を行う光モジュールと、光モジュールによって光電変換された電気信号を光回線のインタフェース規格に沿って終端し、装置から入力された電気信号を光回線のインタフェース規格に沿ったデータ形式に変換する第１の終端手段と、第１の終端手段によって終端された電気信号を装置が受信可能なデータ形式に変換し、装置から入力された電気信号を光回線のインタフェース規格に沿ったデータ形式に変換する第２の終端手段とを有し、第２の終端手段は、第１の終端手段から電気信号を入力された際に、データ信号とともにフレーム識別信号を生成し、該フレーム識別信号を装置へ送信することを特徴としている。
【００１１】
また、上記装置内に収容可能に構成され、装置との間は短距離伝送であり、装置との間の電気信号は、勧告で規定されているインタフェースにとらわれることがないとよい。
【００１２】
請求項４記載の発明の光インタフェース終端接続方法は、光回線から入力された光信号を電気信号へ光電変換し、該光回線のインタフェース規格に沿って終端した後に装置が受信可能なデータ形式に変換して装置へ出力する工程と、装置から入力された電気信号を光回線のインタフェース規格に沿ったデータ形式に変換し、光信号に電光変換した後に光回線へ出力する工程とを有する光インタフェース終端接続方法であって、光回線からの光信号を電気信号に光電変換する際に、データ信号とともにフレーム識別信号を生成し、該フレーム識別信号を装置へ送信することを特徴とすることを特徴としている。
【００１３】
また、上記各工程を装置内にて処理し、光インタフェース終端モジュールと装置間インタフェースは短距離伝送であり、光インタフェース終端モジュールと装置との間の伝達手順を、勧告等で規定されている手順にとらわれることなく構成可能とするとよい。
【００１４】
【発明の実施の形態】
次に、添付図面を参照して本発明による光インタフェース終端モジュールおよび光インタフェース終端接続方法の実施形態を詳細に説明する。図１から図４を参照すると、本発明による光インタフェース終端モジュールおよび光インタフェース終端接続方法の一実施形態が示されている。
【００１５】
図１に本発明の機能構成例を示す。本実施形態による光インタフェース終端モジュール（ＤＳＵモジュール）および光インタフェース終端接続方法は、当該装置２の光インタフェース側に装備・装着される。本光インタフェース終端モジュール（ＤＳＵモジュール）１は、Ｏ／Ｅ（ｏｐｔｉｃａｌ  ／ｅｌｅｃｔｒｉｃａｌ）変換部１１、Ｅ／Ｏ（ｅｌｅｃｔｒｉｃａｌ／ｏｐｔｉｃａｌ  ）変換部１２、フレーム終端部１３、データ変換部１４、を有して構成される。
【００１６】
上記のＯ／Ｅ変換部１１およびＥ／Ｏ変換部１２にて光信号と電気信号との変換を行う。フレーム終端部１３にて光インタフェースの規格に従ったフレーム・データの終端を行う。また、装置間とのインタフェースを簡素化するためのデータ変換部１４にて、装置２が送受信可能なデータフォーマット変換を行う。
【００１７】
図１に示す光インタフェース終端モジュールおよび光インタフェース終端接続方法において、Ｏ／Ｅ変換部１１にて光信号を電気信号に変換し、フレーム終端部１３にて光インタフェースの規格に従ったフレーム・データを終端後に、データ変換部１４にて装置２が受信可能なデータフォーマットに変換する。
【００１８】
また、データ変換部１４にて装置２からの送信データを受信し、フレーム終端部１３にて光インタフェースの規格に従ったフレーム・データに変換する。フレーム・データを変換後、Ｅ／Ｏ変換部１２にて光信号に変換する。
【００１９】
（実施例）
図２は、上記の光インターフェース終端モジュールを組み込み型のＤＳＵ１ａとして構築した場合の構成ブロック図である。図２の組み込み型ＤＳＵ１ａは、光モジュール１０、加入者側終端部１５、端末側終端部１６を有して構成される。これらの光モジュール１０は、図１のＯ／Ｅ変換部１１とＥ／Ｏ変換部１２とに対応した機能を備えている。加入者側終端部１５は、同じくフレーム終端部１３に対応している。端末側終端部１６は、同じくデータ変換部１４に対応している。
【００２０】
光モジュール１０は、光インタフェース側である伝送路側インタフェース（加入者線）とインタフェースを採る機能部である。加入者側終端部１５は、フレームデータの終端を行う機能部である。端末側終端部１６は、端末装置２とのインタフェース部であり、ＤＡＴＡおよびＣＬＫ信号をＴＴＬレベルの信号で送受信する。
【００２１】
図３および図４は、ＪＴ−Ｉ４３１規格、およびＪＴ−Ｇ７０３−ａ規格の２種類の規格に準じたデータ（ＤＡＴＡ）フォーマットの構成例を示している。ＪＴ−Ｉ４３１規格に準じたデータフォーマット構成例１を示す図３は、１）ＪＴ−Ｉ４３１フォーマット構成のデータ、２）ＤＡＴＡビット構成の具体例、３）ＤＡＴＡ、４）ＣＬＫ信号の各構成例を表している。なお、３）ＤＡＴＡ、および、４）ＣＬＫ信号は、ＴＴＬ信号である。
【００２２】
また、ＪＴ−Ｇ７０３−ａ規格に準じたデータフォーマット構成例２を示す図４は、１１）ＪＴ−Ｇ７０３−ａフォーマット構成のデータ、１２）ＤＡＴＡビット構成の具体例、１３）ＤＡＴＡ、１４）ＣＬＫ信号の各構成例、１５）フレーム（Ｆｒａｍｅ）信号を表している。なお、図３および図４中の符号Ｆはフレームビットを表し、符号Ｄは、データビットを表している。また、１３）ＤＡＴＡ、１４）ＣＬＫ、１５）フレーム（Ｆｒａｍｅ）の各信号は、ＴＴＬ信号である。
【００２３】
上記の実施例によれば、従来技術と比較して、ＤＳＵを装置組み込み型として装置の至近位置に配置可能としたため、装置２側との送受信信号をＴＴＬレベルで行うことが可能となり、ドライバ／レシーバ１９とトランス２０とが不要となる。よって、組み込み型ＤＳＵ１ａを、小型・計量化できる。
【００２４】
なお、上述の実施形態は本発明の好適な実施の一例である。ただし、これに限定されるものではなく、本発明の要旨を逸脱しない範囲内において種々変形実施が可能である。
【００２５】
【発明の効果】
以上の説明より明らかなように、本発明による光インタフェース終端モジュールおよび光インタフェース終端接続方法は、光信号を電気信号に変換し、電気信号を光信号に変換し、回線の光インタフェースの規格に従ったフレーム・データの終端を行い、装置が送受信可能なデータフォーマットへ変換を行う。この手順により、光回線と送受信可能なデータフォーマットの信号でのインタフェースを行う。このため、ディジタル回線接続装置の構成規模が簡素化され、装置の小型化・簡素化が可能となる。
【００２６】
すなわち、本発明の効果は、装置組み込み型とすることにより、光インタフェース終端モジュール（ＤＳＵモジュール）と装置との間のインタフェースは短距離伝送であり、勧告等で規定されているインタフェース以外で光インタフェース終端モジュール（ＤＳＵモジュール）と装置との間を接続できることである。装置は、光インタフェース終端モジュール（ＤＳＵモジュール）を組み込むことにより、勧告等で規定されているインタフェース回路を用いることなく光インタフェース終端機能を実現できる。
【００２７】
よって本発明によれば、装置が容易に光インタフェース終端機能を実現するために、装置との間のインタフェースを簡素化した装置組み込み型光インタフェース終端モジュール（ＤＳＵモジュール）を提供できる。
【図面の簡単な説明】
【図１】本発明による光インタフェース終端モジュールの構成例を示すブロック図である。
【図２】光インターフェース終端モジュールを組み込み型のＤＳＵ１ａとして構築した場合の構成ブロック図である。
【図３】ＪＴ−Ｉ４３１規格に準じたデータ（ＤＡＴＡ）フォーマットの構成例を示す図である。
【図４】ＪＴ−Ｇ７０３−ａ規格に準じたデータ（ＤＡＴＡ）フォーマットの構成例を示す図である。
【図５】従来のＤＳＵの構成例を示すブロック図である。
【図６】従来のＤＳＵに対応するデータフォーマットの構成例を示す図である。
【符号の説明】
１  光インタフェース終端モジュール（ＤＳＵモジュール）
２  （ＤＳＵが接続される）装置
１０  光モジュール
１１  Ｏ／Ｅ変換部
１２  Ｅ／Ｏ変換部
１３  フレーム終端部
１４  データ変換部
１５  加入者側終端部
１６  端末側終端部
【図１】
0003616585.tif 000002
【図２】
0003616585.tif 000003
【図３】
0003616585.tif 000004
【図４】
0003616585.tif 000005
【図５】
0003616585.tif 000006
【図６】
0003616585.tif 000007